(57)【特許請求の範囲】
【請求項１】
中心貫通孔を有する絶縁体と、上記中心貫通孔に保持される中心電極と、上記絶縁体の径方向周囲に配置され、内燃機関取付用のネジを有する主体金具と、該主体金具に一端が接合部によって接合され、他端側が上記中心電極に放電ギャップを隔てて対向する放電面を有する外側電極と、を備えるスパークプラグの評価方法において、
上記中心電極の上記放電ギャップを形成する先端は、先端面に向うに従って径小となる円錐台部を有し、
上記中心電極の上記円錐台面の先端には、Ｉｒを主体とし、直径が０．３〜１．０ｍｍの中軸チップが設けられ、
上記中軸チップは、上記中心電極の上記円錐台面の先端に載置され、レーザー溶接によってストレート部を０．２ｍｍ以上残した形態で接合されており、
上記外側電極の放電面には、自身の一部が上記中軸チップと同軸上になるとともに、上記接合面の外線部に形成された溶融合金部よりも上記中軸チップ側に自身の端面が突出されて外側チップが接合されており、
上記内燃機関取付用のネジを基準にした仮想軸線との平行線を、上記放電ギャップに対して上記接合部と反対側から接近させてきた場合に、上記中軸チップの先端面を延長した平面と上記中軸チップの側面の延長面とによって形成される第一交線に最初に交わった位置における第一仮想線と、上記放電面を延長した平面と上記外側電極の先端面を延長した平面とによって形成される第二交線と、の間の距離（Ａ）と、上記放電ギャップ（Ｇ）とが、Ｇ≦２Ａ＋０．５の関係を満たし、
上記放電ギャップ（Ｇ）が０．８５〜１．５ｍｍであり、
上記第二交線と、該第二交線を上記放電面に沿って該外側チップに接近させてきた場合に、上記外側チップと最初に交わった位置における第二仮想線と、の間の距離（Ｂ）が０．２ｍｍ以上であり、
上記仮想軸線を上記放電ギャップに対して上記外側電極の接合部と反対側から近づけてきた場合に、上記中軸チップの先端面を延長した平面と上記第一交線とが最後に交わる位置における第三仮想線と、上記第二仮想線と、の間の距離（Ｈ）が０．３ｍｍ以上であればよいとするスパークプラグの評価方法。
【請求項２】
上記中軸チップは、Ｉｒ−Ｐｔ、Ｉｒ−Ｒｈ、又はＩｒ−Ｙ２Ｏ３から構成される請求項１記載のスパークプラグの評価方法。
【請求項３】
請求項１又は２記載の評価方法を含むスパークプラグの製造方法。
【発明の詳細な説明】
【０００１】
【発明の属する技術分野】
本発明はスパークプラグの評価方法及び製造方法に関し、更に詳しくは、長寿命であると共に、横飛び火現象や放電電圧のバラツキを防止して着火性を向上させ、未燃焼ガスの排出を抑制することができるスパークプラグの評価方法及び製造方法に関する。
【０００２】
【従来の技術】
スパークプラグを長期間使用すると、火花による焼損により、中心電極及び外側電極が消耗し、両電極間で形成される放電ギャップが拡大する。これにより、ギャップで火花放電を行なうのに必要な要求電圧が上昇して、点火システムが持つ電源の最大能力を超えたり、あるいは、正規のギャップでなく、外側電極の端面や主体金具端面へ火花が逃げてしまうことがある。その結果、燃焼ガスへの確実な着火ができなくなり、スパークプラグ自体の耐久性の低下につながる。
【０００３】
そのため、従来のスパークプラグにおいては、耐火花消耗性材料としてＰｔ又はＰｔ合金からなる中軸チップを中心電極の先端に接合して、放電ギャップの拡大の抑制を図っている。ところで、Ｐｔは融点が約１８００℃程度であり、このようなＰｔ又はＰｔ合金からなる中軸チップが設けられたスパークプラグを長期間使用すると、チップ表面が部分的に溶融して該チップ上に発汗粒が生じ成長していく。そして、かかる発汗粒がチップ上に生じることにより、放電ギャップの拡大が抑制され、放電電圧を低減させると共に横飛び火現象を抑えるという効果がある。しかし、融点がやや低いことから、火花が飛んでチップが焼損することにより、電極消耗の抑制効果がある程度限定されてしまうという問題点がある。
【０００４】
そこで、かかるＰｔ又はＰｔ合金からなる中軸チップを使用した場合よりもさらに電極消耗の抑制効果を図るべく、中軸チップとして、Ｉｒ又はＩｒ合金からなる中軸チップを使用したスパークプラグが開発されている（特開平９−２１９２７４号公報等）。Ｉｒは融点が約２４００℃とＰｔに比べると高いので、Ｐｔと比較して、チップの耐久性を向上させて、火花による焼損を抑えることができる結果、スパークプラグの寿命延長を図ることができる。
【０００５】
【発明が解決しようとする課題】
しかし、Ｉｒの融点はＰｔよりも高いことから、チップの耐久性が向上して火花による焼損を抑えることができる反面、チップ上に発汗粒が形成されにくくなる。例えば、このようなＩｒチップを使用したスパークプラグにおいて、外側電極との間にきれいに芯が出ていれば特に問題はないが、製造上、ある程度ずれが生じることもある。そして、このようなずれがある場合、Ｐｔでは発汗粒が形成されるので、放電ギャップの拡大が抑制され、放電電圧が安定してうまく火花が飛ぶが、Ｉｒでは発汗粒が生じないため、放電電圧が上昇しやすくなり、主体金具端面等へ横飛びする頻度が高くなることがある。その結果、燃焼ガスの着火が妨げられ、未燃焼ガスが排出されてしまい、エンジンの効率が低下すると共に、排気ガスにより環境に影響を与えるおそれがある。
【０００６】
本発明は、上記実情に鑑みてなされたものであり、長寿命であると共に、横飛び火現象や放電電圧のバラツキを防止して着火性を向上させ、未燃焼ガスの排出を抑制することができるスパークプラグの評価方法及び製造方法を提供することを目的とする。
【０００７】
【課題を解決するための手段】
本発明者は上記実情に鑑みて検討した結果、中心電極の先端にＩｒを主体とする中軸チップを設け、且つ、放電ギャップを含め、外側電極の端面と中軸チップとの位置関係を所定の範囲とすることにより、スパークプラグの寿命延長を可能にすると共に、横飛び火現象や放電電圧のバラツキを防止することができることを見出して本発明を完成するに至った。
【０００８】
本発明のスパークプラグの評価方法は、中心貫通孔を有する絶縁体と、上記中心貫通孔に保持される中心電極と、上記絶縁体の径方向周囲に配置され、内燃機関取付用のネジを有する主体金具と、該主体金具に一端が接合部によって接合され、他端側が上記中心電極に放電ギャップを隔てて対向する放電面を有する外側電極と、を備えるスパークプラグの評価方法において、上記中心電極の上記放電ギャップを形成する先端は、先端面に向うに従って径小となる円錐台部を有し、上記中心電極の上記円錐台面の先端には、Ｉｒを主体とし、直径が０．３〜１．０ｍｍの中軸チップが設けられ、上記中軸チップは、上記中心電極の上記円錐台面の先端に載置され、レーザー溶接によってストレート部を０．２ｍｍ以上残した形態で接合されており、上記外側電極の放電面には、自身の一部が上記中軸チップと同軸上になるとともに、上記接合面の外線部に形成された溶融合金部よりも上記中軸チップ側に自身の端面が突出されて外側チップが接合されており、上記内燃機関取付用のネジを基準にした仮想軸線との平行線を、上記放電ギャップに対して上記接合部と反対側から接近させてきた場合に、上記中軸チップの先端面を延長した平面と上記中軸チップの側面の延長面とによって形成される第一交線に最初に交わった位置における第一仮想線と、上記放電面を延長した平面と上記外側電極の先端面を延長した平面とによって形成される第二交線と、の間の距離（Ａ）と、上記放電ギャップ（Ｇ）とが、Ｇ≦２Ａ＋０．５の関係を満たし、上記放電ギャップ（Ｇ）が０．８５〜１．５ｍｍであり、上記第二交線と、該第二交線を上記放電面に沿って該外側チップに接近させてきた場合に、上記外側チップと最初に交わった位置における第二仮想線と、の間の距離（Ｂ）が０．２ｍｍ以上であり、上記仮想軸線を上記放電ギャップに対して上記外側電極の接合部と反対側から近づけてきた場合に、上記中軸チップの先端面を延長した平面と上記第一交線とが最後に交わる位置における第三仮想線と、上記第二仮想線と、の間の距離（Ｈ）が０．３ｍｍ以上であればよいとするスパークプラグの評価方法である。また、本発明のスパークプラグの製造方法は、本発明の評価方法を含む。
【０００９】
本発明のスパークプラグにおいて、上記「放電ギャップ」とは、図２のような場合は、上記中軸チップの先端面と外側電極（後述のように外側チップを設ける場合は外側チップ）の放電面との最短距離を示し、図５に示すように、中心電極がテーパー部を有する場合にも、中軸チップの先端面と外側電極又は外側チップの放電面の最短距離を示す。また、上記放電ギャップ（Ｇ）の値については特に限定はないが、通常０．７〜１．５ｍｍ、好ましくは０．７〜１．３ｍｍ、更に好ましくは０．８５〜１．１ｍｍである。かかる範囲とすることにより、放電ギャップ間に燃料によるブリッジが生じ難く、また、着火性の低下や過度の電極消耗を招くことがないことから好ましい。
【００１０】
本発明のスパークプラグにおいて、上記「第一交線」とは、上記中軸チップの先端面を延長した平面と上記中軸チップの側面の延長面とによって形成されるものである。上記第一交線の部分は、中軸チップを切断した際のバリがでている場合があるが、この場合は、このバリの部分を切り取って第一交線を考えるものとする。尚、第一交線を構成することになる中軸チップの側面の延長面は、中軸チップの中心電極の中心軸線方向に切断した場合、例えば、中軸チップの両側面が略平行である場合には円柱面として表すことができる。
【００１１】
本発明のスパークプラグにおける上記「第二交線」は、上記外側電極の放電面を延長した平面と、上記外側電極の先端面を延長した平面とによって形成される（図２参照）。外側電極の先端面は、コイル状の平角線を切断して外側電極を形成する際の切断面にあたることから、この先端面には段差が生じている場合がある。このような場合には、放電面に近い側の先端面を基準に第二交線を考えるものとする。そして、本発明のスパークプラグにおいて、上記距離（Ａ）は、投影機を使用することで測定することができる。
【００１２】
本発明のスパークプラグでは、上記放電ギャップ（Ｇ）と、上記距離（Ａ）とがＧ≦２Ａ＋０．５の関係を満たすことにより、中心電極の放電ギャップを形成する先端にＩｒ又はＩｒ合金からなる中軸チップが使用される場合の利点である、火花放電に伴う電極の消耗を抑制することができる。その結果、スパークプラグの寿命延長を可能にすると共に、Ｉｒ又はＩｒ合金を中軸チップとして使用した場合に懸念される横飛び現象や放電電圧のバラツキを防止するといった効果を奏する。尚、本発明において中軸チップが「Ｉｒを主体とする」とは、中軸チップにおいて、Ｉｒが最も重量含有率の高い成分であることを意味するものであり、必ずしも、５０質量％以上を占める成分を意味するものではない。
【００１３】
本発明のスパークプラグにおいて、上記外側電極の放電面には、外側電極の電極消耗を抑制するために、外側チップを設けて放電ギャップを形成してもよい。このように外側チップが設置される場合には、上記第二交線と、該第二交線を上記放電面に沿って該外側チップに接近させてきた場合に、上記外側チップと最初に交わった位置における第二仮想線と、の間の距離（Ｂ）を０．２ｍｍ以上、好ましくは０．３ｍｍ以上、更に好ましくは０．３５〜０．８ｍｍとする（図２参照）。この距離（Ｂ）が０．２ｍｍ未満では、外側チップが熱により外側電極から剥がれるおそれがあるので好ましくない。尚、上記外側チップを上記放電面に溶接により形成する場合は、その接合面外縁部に外側チップ成分と外側電極母材成分からなる溶融合金部が形成されることがある。このような場合には、この溶融合金部は考慮せずに、外側チップ自身と第二交線とが最初に交わった位置を第二仮想線とする。
【００１４】
また、上記外側チップは、その一部が上記中軸チップと同軸上になるように設けられて、放電ギャップを形成することにより、火花放電による外側電極の放電面における異常消耗を抑制し、スパークプラグの寿命延長を可能とする。尚、外側チップは、中軸チップと同様にＩｒを主体に構成されていてもよく、その他にＰｔ合金（例えば、Ｐｔ−ＮｉやＰｔ−Ｉｒ）により構成されていてもよい。
【００１５】
本発明のスパークプラグにおいて、上記中軸チップは、上述のように、Ｉｒ又はＩｒ合金から構成される。上記Ｉｒ合金としてはＩｒを最も重量含有率の高い成分として含んでいる限り特に限定はないが、Ｉｒ−Ｐｔ、Ｉｒ−Ｒｈ又はＩｒ−Ｙ２Ｏ３から構成されるチップとすると、より厳しい温度下でのチップの酸化揮発が抑制され、電極の消耗を抑制する上で好ましい。また、これらＩｒ合金からなる中軸チップとしては、状態図における固相点として１９００℃以上を持つものが、電極の消耗をより抑制する上で好ましい。
【００１６】
上記中軸チップの直径は０．３〜１．０ｍｍ、好ましくは０．４〜０．８ｍｍである。この直径が０．３ｍｍ未満では、高融点材質であるＩｒ（Ｉｒ合金）を用いてチップを形成しても、チップとしての体積、放電ギャップを形成する面が小さく、火花放電による電極の消耗の抑制効果が小さくなるので好ましくない。一方、１．０ｍｍを超えると、特殊な用途にスパークプラグが使用されない限りは、チップとしての放電ギャップを形成する面が大きく、その面により放電ギャップで発生した火花の熱を奪われてしまう（いわゆる消炎作用）ため、失火してしまうことが懸念され、着火性が悪化するため好ましくない。
【００１７】
【発明の実施の形態】
以下、本発明について、試験例を挙げて具体的に説明する。
（１）本試験例のスパークプラグの構成
本試験例のスパークプラグＰは、図１及び図２に示すように、筒状の主体金具１と、該主体金具１に挿設され、中心貫通孔２１を有する絶縁体２と、上記絶縁体２の上記中心貫通孔２１に挿設される中心電極３と、上記主体金具１に一端が接合部４４によって接合された外側電極４と、を備える。
【００１８】
上記主体金具１は低炭素鋼で形成され、その先端外周には内燃機関取付用のネジ（ネジの呼び：Ｍ１４Ｓ、ネジリーチ：１９ｍｍ）１１と、スパークレンチと嵌合する六角形部（図示せず）と、を備えている。上記絶縁体２は、アルミナを主体とするセラミック焼結体で形成されており、全長６０ｍｍで、先端部の外径が５．１ｍｍであり、その略中心には中心貫通孔２１が設けられている。この中心貫通孔２１は、中心電極３を挿通させるための略円筒状の第一部分（径：２．８ｍｍ）と、その第一部分の後方側にてこれよりも大径に形成される略円筒状の第二部分（径：３．９ｍｍ）と、を有する。そして、中心電極３は、上記第一部分に挿通され、後述する端子電極、セラミック抵抗体（いずれも図示せず）は、上記第二部分内に収容される。尚、上記絶縁体２の先端部分は、上記主体金具１の金具先端面から１．５ｍｍ突き出た状態で主体金具１に挿設されている。
【００１９】
上記中心電極３は、「インコネル６００」（商標名）等のニッケル合金からなり、その内部にＣｕや純Ｎｉ又はそれらの複合材料等からなる良熱伝導性金属を有した形態で構成されており、その先端部分が上記絶縁体２の先端から突き出た状態で、上記中心貫通孔２１に挿設されている。そして、上記絶縁体２の先端から突き出ている先端部分には、先端面に向うに従って径小となる円錐台部３２（高さ０．３ｍｍ、径１．０ｍｍ）と、該円錐台部３２の先端に溶接される中軸チップ３１が設けられている。中軸チップ３１はＩｒ−５ｗｔ％Ｐｔ合金で構成されており、厚さ０．６ｍｍ、径が０．８ｍｍである。尚、この中軸チップ３１は、中心電極母材の円錐台面３２の先端に載置され、図２に示すように、レーザー溶接によってストレート部Ｌを０．２ｍｍ以上残した形態で、溶融合金部１０を形成して接合される。また、上記中心電極３は、上記絶縁体２の中心貫通孔２１の内部に配置されたセラミック抵抗体を経由して、高圧ケーブルが接続されて、高電圧が印加される端子金具に電気的に接続されている（セラミック抵抗体及び端子金具はいずれも図示せず。）。尚、このセラミック抵抗体の両端部は、導電性ガラス層を介して中心電極３及び端子電極とにそれぞれ電気的に接続されている。
【００２０】
上記外側電極４はＮｉ合金からなり、主体金具１の先端面に溶接により形成される接合部４４によって接合されている。そして、外側電極４は、中心電極３に形成された中軸チップ３１と対向する放電面４３を有している。尚、外側電極４は、その先端部の温度を低減させ、火花放電による消耗を抑えるために内部にＣｕや純Ｎｉ又はその複合材料等からなる良熱伝導材を有していてもよい。また、外側電極４の放電面４３には、中心電極３に形成された中軸チップ３１の同軸上に自身の一部が配する形態で外側チップ４１が抵抗溶接（レーザー溶接でもよい。）され、接合面外線部に溶融合金部１０を形成して外側チップ４１が外側電極４に接合されている。そして、中軸チップ３１と外側チップ４１との両者で放電ギャップ（Ｇ）を形成している。上記外側チップ４１は貴金属部材であって、Ｉｒ合金やＰｔ合金、Ｒｈ合金により構成（本実施例では、Ｐｔ−Ｎｉ系合金）されており、厚さが０．３ｍｍ、直径が０．８ｍｍである。
【００２１】
ここで、上記外側チップ４１を外側電極４に設ける場合の位置関係は、上記のように、その一部が中軸チップ３１の同軸上に配され、且つ、図２に示すように、放電面４３を延長した平面と外側電極４の先端面４２を延長した平面とによって形成される第二交線８と、該第二交線８を放電面４３に沿って外側チップ４１に接近させてきた場合に、外側チップ４１と最初に交わった位置における第二仮想線８１と、の間の距離（Ｂ）が０．２ｍｍ以上となる関係を有する。この関係を満たすことにより、燃焼ガス等といった熱の影響に対する外側チップ４１の耐剥離性を向上させることができる。尚、図２は、スパークプラグの横断面形状であることから、第二交線８及び第二仮想線８１は点として表現されており、実際は図２の奥から手前の方に延びている。
【００２２】
さらに、本実施例のスパークプラグＰにあっては、図２に示すように、上述の第二交線８と、主体金具１に形成された内燃機関取付用のネジ１１を基準にしたスパークプラグＰの仮想軸線６との平行線を、放電ギャップ（Ｇ）に対して外側電極４の接合部４４と反対側から近づけてきた場合に、中軸チップ３１の先端面３１１を延長した平面と中軸チップ３１の側面の延長面（本実施例にあっては、円柱面を形成）との第一交線７（図２は横断面形状であることから、点として表示されており、実際は図２の奥から手前の方に延びている。）とが最初に交わった位置における第一仮想線７１と、の間の距離（Ａ）が、上記放電ギャップ（Ｇ）との関係において、Ｇ≦２Ａ＋０．５の関係を有するようにそれぞれ設定されている。
【００２３】
図２中に示されている距離（Ｈ）は、上記仮想軸線６を、放電ギャップに対して外側電極４の接合部４４と反対側から近づけてきた場合に、中軸チップ３１の先端面３１１を延長した平面と中軸チップ３１の側面の延長面（本実施例にあっては、円柱面を形成）との第一交線７とが最後に交わる位置における第三仮想線９と、上記第二仮想線８１と、の間の距離を表すものである。尚、図２中に示されている距離（Ａ）、（Ｂ）及び（Ｈ）は、いずれも投影機を使用することで測定可能である。
【００２４】
（２）スパークプラグの性能評価
▲１▼放電電圧のバラツキの測定
本試験例のスパークプラグＰにおいて、図２における距離（Ａ）及び放電ギャップ（Ｇ）を表１に示す値に調整し、実機３０００ｃｃ、６ｃｙｌ、Ａ／Ｆ＝１８、アイドリング（６００ｒｐｍ）で１０分間、スパークプラグの各サイクルにおける放電電圧（ｋＶ）を測定した。そして、各測定値から標準偏差（σ）を求め、放電電圧のバラツキを３σとして求めた。この結果を以下の表１に示す。また、放電ギャップ（Ｇ）を１．１ｍｍとした場合に、中軸チップ３１の直径及び図２における距離（Ａ）を表２に示す値に変化させた場合の放電電圧（ｋＶ）のバラツキを、上記と同じ手法、条件で測定した。この結果を以下の表２に示す。尚、表１において、Ａ＝０．２ｍｍという場合は、図２において、外側電極４の先端面４２が中軸チップ３１の側面よりも右側にある状態でのＡの値であるのに対し、Ａ＝−０．２ｍｍという場合は、逆に中軸チップ３１の側面が外側電極４の先端面４２より右側にある状態でのＡの値を示す。
【００２５】
【表１】
0004374146.tif 000002
【００２６】
【表２】
0004374146.tif 000003
【００２７】
▲２▼外側電極の放電面における消耗部の測定
本試験例のスパークプラグにおいて、上記距離（Ａ）を０．４ｍｍ、放電ギャップ（Ｇ）を０．９ｍｍとし、図２中の距離（Ｈ）を０．８ｍｍ、０．３ｍｍ、０ｍｍ、−０．３ｍｍと変化させて、２０００ｃｃ、６０００ｒｐｍ×Ｗ．Ｏ．Ｔ、３００時間後に、中軸チップ３１の先端面３１１の直上に位置する外側電極４（外側チップ４１と中軸チップ３１が完全に直上で重なる場合は、外側チップ４１）の放電面４３に生じた消耗部５（図３参照）の最大深さ（Ｃ；ｍｍ）を求めた。そして、上記距離（Ｈ）と最大深さ（Ｃ）との関係をプロットしたグラフを図４に示した。尚、図４においてＨ＝−０．３とは、中軸チップ３１と外側チップ４１が重ならない状態での第二仮想線８１と第三仮想線９との間の距離が０．３ｍｍであることを意味する。
【００２８】
（３）試験例の効果
表１より、上記距離（Ａ）と放電ギャップ（Ｇ）の値が、Ｇ≦２Ａ＋０．５の関係を満たす場合（表１の太線より下の部分）は、放電電圧のバラツキが４ｋＶ以下と小さいのに対し、この関係を満たさない場合（表１の太線より上の部分）では、放電電圧のバラツキが６ｋＶ以上と、著しく増加していることが判る。また、表２より、上記距離（Ａ）を０．３〜０．４ｍｍとした場合、中軸チップ３１の径が１．２ｍｍ以上となると、放電電圧のバラツキが著しく多くなっていることが分かる。更に、図４より、中軸チップ３１の直上に外側チップ４１がある場合（Ｈ＝０．８）は、上記消耗部５の最大深さ（Ｃ）が小さいのに対し、上記距離（Ｈ）が小さくなる、即ち、中軸チップ３１と外側チップ４１の位置関係のズレが大きくなるにつれ、消耗部５の最大深さ（Ｃ）が大きくなり、外側電極４の放電面４３の異常消耗が発生していることが判る。
【００２９】
尚、本発明においては、前記具体的試験例（スパークプラグＰのこと）に示すものに限られず、目的、用途に応じて本発明の範囲内で種々変更したスパークプラグとすることができる。
【００３０】
【発明の効果】
本発明の各スパークプラグによれば、中心電極の先端にＩｒを主体とする中軸チップを設け、且つ、放電ギャップを含め、外側電極の端面と中軸チップとの位置関係を所定の範囲（関係）とすることにより、スパークプラグの寿命延長を可能にすると共に、横飛び火現象や放電電圧のバラツキを防止することができ、未燃焼ガスの排出を抑制することができる。
【図面の簡単な説明】
【図１】本試験例のスパークプラグを示す正面部分断面図である。
【図２】図１のスパークプラグの要部を示す拡大縦断面図である。
【図３】本試験例のスパークプラグの外側電極の先端面付近の拡大縦断面図である。
【図４】図２中における距離（Ｈ）と図３中における最大深さ（Ｃ）との関係を示したグラフである。
【図５】本発明のスパークプラグの外側電極の先端面付近の拡大縦断面図である。
【符号の説明】
Ｐ；スパークプラグ、１；主体金具、１１；内燃機関取付用のネジ、２；絶縁体、２１；中心貫通孔、３；中心電極、３１；中軸チップ、３１１；中軸チップの先端面、３２；円錐台部、４；外側電極、４１；外側チップ、４２；外側電極の先端面、４３；放電面、４４；接合部、５；消耗部、６；仮想軸線、７；第一交線、７１；第一仮想線、８；第二交線、８１；第二仮想線、９；第三仮想線、１０；溶融合金部、Ｌ；ストレート部、Ｔ；テーパー部。
【図１】
0004374146.tif 000004
【図２】
0004374146.tif 000005
【図３】
0004374146.tif 000006
【図４】
0004374146.tif 000007
【図５】
0004374146.tif 000008